(57)【要約】 【課題】緑被覆率の低下を抑制でき、管理も容易な薄層緑化構造を提供する。【解決手段】薄層緑化構造１は、上部が開放された箱状をなす複数の薄型トレー１０と、薄型トレー１０内に予め植栽され、常緑キリンソウを含む緑化植物１１と、を備えて構成される。緑化植物１１は、常緑キリンソウとセダム属植物とを混植してなるものであってもよい。薄型トレー１０は、エンボス状に形成された底上げ部と、裏側が設置面をなす凹陥部とを有する底面部を備え、底上げ部を伝って落下集水される余剰雨水等を、凹陥部から外部に排出するように構成することができる。【選択図】  図１
0003151183.tif 000002
【実用新案登録請求の範囲】
【請求項１】
上部が開放された箱状をなす多数の薄型トレーと、
該薄型トレー内に予め植栽され、常緑キリンソウを含んだ緑化植物と、を備えた薄層緑化構造。
【請求項２】
該緑化植物が、常緑キリンソウとセダム類植物とを混植してなる請求項１に記載の薄層緑化構造。
【請求項３】
該薄型トレーが、多数の凸部および格子状の溝部によってエンボス状に形成された底上げ部と、該溝部に連通して設けられ、裏側が設置面をなす凹陥部と、を有する底面部をそれぞれ備え、
該溝部を伝って該凹陥部に落下集水される余剰雨水等を、該凹陥部に添設される排水孔を介して外部に排出するようになされた請求項１または２に記載の薄層緑化構造。
【請求項４】
該薄型トレー同士が、インシュロックによって連結された請求項１乃至３の何れかに記載の薄層緑化構造。
【考案の詳細な説明】
【技術分野】
【０００１】
本考案は、建物屋上の屋根面等を緑化する際に用いられる薄層緑化構造に関する。
【背景技術】
【０００２】
近年、ヒートアイランド現象に伴う地球環境への負荷を軽減するために、建物屋上の屋根面等を緑化することが注目されている。
【０００３】
この建物屋上の屋根面等を緑化する技術として、緑化植物が予め植栽された緑化用のトレーを屋根面等に複数敷設することにより、手間をかけることなく薄層緑化をおこなえるようにしたものが知られている（例えば、特許文献１）。建物屋上の屋根面等は、高温、低温、あるいは乾燥、強風等に曝され易く、植物にとっては非常に厳しい環境となることから、上記緑化植物には強靭な体質を有する多肉植物、中でもメキシコマンネングサが用いられるのが一般的である。
【先行技術文献】
【特許文献】
【０００４】
【特許文献１】特開２００４−１６０１５号公報
【考案の概要】
【考案が解決しようとする課題】
【０００５】
しかしながら、上記緑化植物にメキシコマンネングサを用いた場合、冬期になると、茶色く枯れた状態になって落葉し易く、緑被覆率が低下していた。また、メキシコマンネングサは５月頃に開花するが、花の数が過剰になると、花が咲いた後に茎葉が弱ることがあるため、花摘み等の面倒な管理をおこなう必要が生じる場合があった。
【０００６】
そこで本考案は、上記事情に鑑みてなされたものであり、その目的とするところは、緑被覆率の低下を抑制でき、管理も容易な薄層緑化構造を提供することにある。
【課題を解決するための手段】
【０００７】
本考案の薄層緑化構造は、上部が開放された箱状をなす多数の薄型トレーと、該薄型トレー内に予め植栽され、常緑キリンソウを含んだ緑化植物と、を備えて構成されている。
【０００８】
本考案の薄層緑化構造の他の好ましい例では、該緑化植物が、常緑キリンソウとセダム類植物とを混植してなる。
【０００９】
本考案の薄層緑化構造のさらに他の好ましい例では、該薄型トレーが、多数の凸部および格子状の溝部によってエンボス状に形成された底上げ部と、該溝部に連通して設けられ、裏側が設置面をなす凹陥部と、を有する底面部をそれぞれ備え、該溝部を伝って該凹陥部に落下集水される余剰雨水等を、該凹陥部に添設される排水孔を介して外部に排出するように構成されている。
【００１０】
本考案の薄層緑化構造のさらに他の好ましい例では、該薄型トレー同士が、インシュロックによって連結されている。
【考案の効果】
【００１１】
本考案の薄層緑化構造によれば、上部が開放された箱状をなす多数の薄型トレーと、該薄型トレー内に予め植栽され、常緑キリンソウを含んだ緑化植物と、を備えて構成されているため、緑被覆率の低下を抑制でき、管理も容易である。
【図面の簡単な説明】
【００１２】
【図１】実施形態に係る薄層緑化構造を示す拡大断面図である。
【図２】（ａ）（ｂ）実施形態に係る薄型トレーを示す斜視図である。
【図３】実施形態に係る薄型トレーの連結状況を示す斜視図である。
【図４】他の実施形態に係る薄層緑化構造を示す平面図である。
【考案を実施するための形態】
【００１３】
以下、本考案の一実施形態について、図面を参照して詳細に説明する。図１は実施形態に係る薄層緑化構造１を示す拡大断面図、図２（ａ）（ｂ）は薄層緑化構造１に用いられる薄型トレー１０を示す斜視図、図３は薄型トレー１０の連結状況を示す斜視図である。
【００１４】
図１に示すように、薄層緑化構造１は、建物屋上４における緑化を図るもので、陸屋根として形成される屋根面５に縦横隣接して敷設される複数の薄型トレー１０と、各薄型トレー１０内に予め植栽された緑化植物１１とを備えて構成されている。薄型トレー１０同士は、所定の連結手段１５によって連結されており、さらに薄層緑化構造１の外周縁が、縁石ブロック７で固定されている。
【００１５】
薄型トレー１０は、ポリプロピレンその他合成樹脂の射出成形によって一体形成され、図２（ａ）（ｂ）に示すように、上部が開放された箱状をなし、平面視略正方形（５００ｍｍ×５００ｍｍ）の底面部２０と、その外周に立設される側面部２１とからごく浅く（高さ６５ｍｍ程度）構成されている。側面部２１は、上にいくに従って、外方にやや傾斜するように設けられており、側面部２１の上端には、つば部２２が外方に折り返し形成されている。側面部２１の所定位置には、連結手段１５を係合するための連結口２４が穿設されている。
【００１６】
薄型トレー１０の底面部２０は、図２（ａ）（ｂ）に示すように、平面視略十字形の底上げ部３０と、その四隅に一段下げて連設される凹陥部３１とから構成されている。凹陥部３１の裏側は、平坦な設置面３２をなし、図１に示す如く、設置面３２を屋根面５上にぴったりと設置することで、薄型トレー１０の安定を保つことができるようになっている。なお、図２（ｂ）中、３２ａおよび３８は、それぞれ補強用の脚部およびリブである。
【００１７】
図２（ａ）（ｂ）に示すように、底上げ部３０は、エンボス状に成形されている。すなわち、多数の矩形凸部３３が縦横一定間隔で凸設されるとともに、各凸部３３を囲うように格子状の溝部３４が配設されている。
凹陥部３１はこの溝部３４に連通して設けられ、溝部３４を伝って凹陥部３１に落下集水された薄型トレー１０内の余剰雨水等を、凹陥部３１に添設されたスリット状の排水孔３６を介して、外部に排出できるようになっている。底面部２０に、底上げ部３０の中心から排水孔３６に向かう水勾配を適宜形成して、排水性を向上させるようにしてもよい。
【００１８】
上記薄型トレー１０内には、図１に示すように、培養土１３が側面部２１上端から一定深さまで充填されるとともに、所定の緑化植物１１が略全面的に植栽されている。この実施形態では、緑化植物１１を、すべて常緑キリンソウによって構成している。緑化植物１１として、常緑キリンソウを一部にのみ用いるようにすることもできる。
【００１９】
常緑キリンソウは、ベンケイソウ科キリンソウ属に分類されるものであるが、通年常緑で落葉しないため、冬期であっても緑豊かに保つことができ、花摘み等も不要である。さらに、暑さや寒さに対してきわめて強く、乾燥や多湿への耐性はメキシコマンネングサをも凌ぐものである。常緑キリンソウは、天然雨水以外に灌水の必要もなく、培養土１３の厚みが３０ｍｍ程度あれば十分に生育し得る。入手可能な常緑キリンソウの例としては、トットリフジタ１号（種苗登録第１５８６６号）やトットリフジタ２号（種苗登録第１５８６７号）が挙げられる。
【００２０】
培養土１３としては、上記緑化植物１１を生育することが可能な適宜の自然土壌や人工土壌、あるいはこれらの混合物を用いることができる。例えば、ピートモス、バーミキュライト、パーライト等の公知の資材を、保水性や排水性のバランスを考慮して、適量配合して用いることができる。
とりわけ建物屋上４等の緑化にあっては、構造体への荷重負荷を軽減するために、人工軽量土壌等を用いてなるべく培養土１３の軽量化を図ることが好ましい。人工軽量土壌としては、真珠岩系パーライト等の岩石の焼成物やリサイクルセラミック、火山砂利等から得られる無機質系人工土壌、主に分解の遅い針葉樹の樹皮やココピート（登録商標）、ピートモス、草炭等を加工して得られる有機質系人工土壌、あるいは軽量無機質骨材に有機質資材を混合加工した有機無機混合型人工土壌等を用いることができる。
【００２１】
培養土１３の好ましい配合例を表１に示す。これによれば、培養土１３の重量が約４．３ｋｇ重／１２リットルとなる。
【００２２】
【表１】
0003151183.tif 000003
【００２３】
このように、ピートモス、バーミキュライト、パーライト等を主配合物としてさらに燻炭を加え、これらを一定割合で配合したものを用いるようにすれば、軽量化を実現しながら、保水性および排水性のバランスを良好に保つことができるとともに、常緑キリンソウの生育にきわめて好適なものとなり得る。ピートモスに替えて、椰子の実から種子を取り除いた椰子殻から得られるココピート（登録商標）を用いてもよい。
【００２４】
上記の如く構成される薄層緑化構造１の設置手順の一例について説明すると、まず薄型トレー１０内に培養土１３を充填し、緑化植物１１の小苗を植え付けて育成する。この育成は、適宜の農場、休耕田やビニルハウス等を利用して集約的におこなうことができる。所定期間を経て上記育成を完了すれば、緑化植物１１が予め植栽された薄型トレー１０が得られる。あとはこの薄型トレー１０を所定数量、建物屋上４に輸送搬入して、屋根面５の一定領域に敷き並べるとともに、外周縁を縁石ブロック７で固定すればよい。縁石ブロック７には、各薄型トレー１０から流れ出た余剰雨水等を排水できるよう、下端に切欠穴７ａが設けられている（図１参照）。縁石ブロック７に替えて、屋根面５上に固設可能な適宜の押え金物等を用いるようにしてもよい。
このように薄層緑化構造１は非常に簡単に設置することができ、薄型トレー１０の取り替えや移動等も容易におこなえる。
【００２５】
上記薄型トレー１０を敷き並べる際には、連結手段１５として、図３に示すようなインシュロック４０を用いるのが好ましい。インシュロック４０は、係止孔４４が貫設された本体部４１と、本体部４１に接続される可撓性でやや太幅の帯状部４２とを備えた既知の構成のものである。インシュロック４０の構成素材としては、ポリプロピレン、ポリエチレン、ポリアセタール、フッ素樹脂等の比較的耐候性や耐久性のある合成樹脂が適している。係止孔４４内には所定の係止爪４５が設けられ、帯状部４２の片面には長手方向に沿って一定ピッチ毎に係止突起４７が形成されている。
このようなインシュロック４０の帯状部４２を、図３に示す如く、隣り合う薄型トレー１０、１０の連結口２４、２４に挿通し、さらにその自由端側を本体部４１の係止孔４４に挿通してループを形成するとともに、ループを強固に巻着して、帯状部４２の係止突起４７を本体部４１の係止爪４５に係止せしめることで、薄型トレー１０、１０を一体的に連結することができる。
【００２６】
以上説明した薄層緑化構造１によれば、緑化植物１１を常緑キリンソウによって構成していることから、緑化植物１１が冬期でも落葉せず、花摘み等の必要もない。よって、メキシコマンネングサ等のみからなるものに比べて、緑被覆率の低下を著しく抑制でき、管理も容易となる。
【００２７】
しかも薄層緑化構造１では、所定の薄型トレー１０を採用しており、凸部３３および溝部３４によって薄型トレー１０内を適当な湿度にすることができるとともに、凹陥部３１を介して余剰雨水等が排出処理されるため、薄型トレー１０内が過湿にならず、緑化植物１１の根腐れ等を防止できる。また、底上げ部３０によって、屋根面５と薄型トレー１０との間に空隙が形成されるため、通気性が良好になるだけでなく、薄型トレー１０内の温度上昇を緩和することもできる。よって、緑化植物１１としての常緑キリンソウに非常に適した環境が形成されることとなり、薄層緑化構造１を設置後の管理は殆ど不要となる。
凸部３３および溝部３４によるエンボス状の形態は、培養土１３の充填に伴う底面部２０の歪みや変形の防止にも効果がある。
【００２８】
薄層緑化構造１の各薄型トレー１０は、上記したとおり、ごく薄く軽量に構成されるものであるが、インシュロック４０を用いて薄型トレー１０同士を連結することで、強風時等における飛散を確実に防止することが可能となり、管理が一層容易となる。
【００２９】
他の実施形態に係る薄層緑化構造１’について、図４を参照して説明する。図４は薄層緑化構造１’を示す平面図である。上記実施形態と共通する構成については、同一の符号を付して説明を省略する。
【００３０】
薄層緑化構造１’では、緑化植物１１’が、常緑キリンソウＰ１とメキシコマンネングサＰ２とを混植してなり、図４に示すように、各薄型トレー１０内において、小苗のまたは株分けした常緑キリンソウＰ１とメキシコマンネングサＰ２とが、適当な間隔離間して交互に植え付けられた構成としてある。
【００３１】
常緑キリンソウは初期の繁茂率が低い傾向にあるが、メキシコマンネングサは非常に旺盛な繁茂力を有している。一方で、メキシコマンネングサは繁茂し過ぎると、蒸れて病気等に罹り易くなる。
常緑キリンソウＰ１とメキシコマンネングサＰ２とを混植した構成とすることで、常緑キリンソウＰ１のみとした場合に比べてコストを低減できるだけでなく、両者の短所を効果的に補完することが可能となる。薄型トレー１０の上記構成によって、過湿高温状態が回避されるため、メキシコマンネングサＰ２にとっても好ましい環境が、薄型トレー１０内には形成され得ることとなる。
【００３２】
常緑キリンソウＰ１の混植相手としては、メキシコマンネングサＰ２に限定されず、丈が比較的低く、高低温や乾燥に強い草木、芝、苔類、多肉植物等を用いることができる。但し、メキシコマンネングサをはじめとする、タイトゴメ、モリムラマンネングサ、オノマンネングサ、マルバマンネングサ、ツルマンネングサなどベンケイソウ科セダム属に分類されるセダム類植物を用いるようにすれば特に好ましい。セダム類植物の中でも、メキシコマンネングサは、最も丈夫で管理も手軽であるため適している。
【００３３】
以上の実施形態の記述は、本考案をこれに限定するものではなく、本考案の趣旨を逸脱しない範囲で種々の設計変更等が可能であることは言うまでもない。
上記では、薄層緑化構造１（１’）を建物屋上４の屋根面５に設置する例について説明しているが、本考案の薄層緑化構造は、ベランダ、バルコニー、人工地盤等の様々な場所に設置してよい。適宜の取付金物を併用して、折板屋根等の金属屋根に設置することもできる。また、本考案の薄層緑化構造は、新築のみならず既存建物の改修等においても好適に用いることができる。
【産業上の利用可能性】
【００３４】
本考案は、建物屋上の屋根面等を緑化する際に幅広く利用することができる。
【符号の説明】
【００３５】
１  薄層緑化構造
１０  薄型トレー
１１  緑化植物
１３  培養土
１５  連結手段
２０  底面部
２１  側面部
３０  底上げ部
３１  凹陥部
３２  設置面
３３  凸部
３４  溝部
３６  排水孔
【図１】
0003151183.tif 000004
【図２】
0003151183.tif 000005
【図３】
0003151183.tif 000006
【図４】
0003151183.tif 000007